(57)【要約】放射状に配置された交換可能な複数の腕部材または足部材（Ａ，Ｂ）と着脱可能に連結できるよう構成された中央のハブ（４５）を含むカメラ支持具であって、当該腕部材は所望ならば、所望の長さの放射状に伸びた脚を形成する追加の腕部材および／または足部材と相互連結できるよう構成されている。当該ハブはミッチェル・タイプのプレートを有してもよく、軸の空洞に接近できるよう１つ以上のアクセス・ウィンドウが設けられている。
2005500488.tif 000002
【特許請求の範囲】
【請求項１】
放射状に配置された交換可能な複数の腕部材または足部材と着脱可能に連結するよう施された中央のハブを含むカメラ支持具であって、前記腕部材は放射状に伸びる所望の長さの脚を形成するよう追加の腕部材および／または足部材と相互連結できるようになっていることを特徴とするカメラ支持具。
【請求項２】
前記ハブ、足部材および／または腕部材はあり継手ほぞ穴−ほぞ結合を介して相互に連結することを特徴とする請求項１記載のカメラ支持具。
【請求項３】
前記あり継手ほぞ穴−ほぞ結合がテーパー状であることを特徴とする請求項２記載のカメラ支持具。
【請求項４】
前記中央のハブがミッチェル・タイプのカメラ・プレートを有することを特徴とする請求項１、２または３のいずれか１項記載のカメラ支持具。
【請求項５】
前記中央のハブが、軸の空洞に接近可能にする周囲アクセス・ウィンドウを少なくとも１つ有することを特徴とする請求項１乃至４のいずれか１項記載のカメラ支持具。
【請求項６】
放射状に分離された複数のアクセス・ウィンドウを備えることを特徴とする請求項５記載のカメラ支持具。
【請求項７】
放射状に伸びた複数の四肢要素を着脱可能に受け入れるよう構成された中央のハブを備えるカメラ支持具であって、前記中央のハブはミッチェル・タイプのプレートを有することを特徴とするカメラ支持具。
【請求項８】
前記中央のハブが、軸の空洞に接近可能にする周囲アクセス・ウィンドウを少なくとも１つ有することを特徴とする請求項７記載のカメラ支持具。
【請求項９】
放射状に分離された複数のアクセス・ウィンドウを備えることを特徴とする請求項８記載のカメラ支持具。
【請求項１０】
あり継手ほぞ穴結合によって中央のハブに対して着脱可能に連結した放射状に伸びた複数の腕を備えることを特徴とするカメラ支持具。
【請求項１１】
各足部材が該足部材の胴体に着脱可能に保持されている柱部材を含むことを特徴とする請求項１乃至１０のいずれか１項記載のカメラ支持具。
【請求項１２】
前記柱部材は調整部材を備えることを特徴とする請求項１１記載のカメラ支持具。
【発明の詳細な説明】
【技術分野】
【０００１】
本発明は、支持具に関する。本発明は、特に、カメラまたは例えば照明や音響装置のようなその他の適切な機材のための支持具に関するが、他の用途を排除するものではない。本発明は、好適な実施態様においては、「バズーカ・ベース」として一般に広く知られている、カメラ・ライザー部品と共に用いるタイプの支持具に関する。
【背景技術】
【０００２】
カメラ「バズーカ」１０は、カメラ・レベラー（水平器）１３に連結される１以上のライザー管（上昇管）１１、１２から構成される。バズーカの各要素は、図１に示されるようにスリーブ・クランク１４を介して相互に連結される。
【０００３】
バズーカ・ベースが３５ミリカメラに用いられることを意図されている場合は、レベラー１３はミッチェル・プレート１５を含んでもよい。ミッチェル・プレートは、カメラと連結するのに適した業界標準のカメラ部品であり、当業者である読者には周知のものであろう。事実、当該部品は一般的にカメラに直接触れないが、カメラは油圧式ヘッドやギアヘッドまたはその類似物といったマウントを介してプレートに連結されるだろう。
【０００４】
従来のバズーカ・ベース２０に関する問題は、脚部材２５が堅いため足２６を介しての軽微な垂直調整以外の調整をほとんど許容しないことであり、しかもそれらはベース２０の中央のハブ２７に永久的に取り付けられているのである。それゆえ、ユーザは使用中のベースを調整する余地がほとんど或いは全くない。
【０００５】
従来のバズーカ・ベースの中には、三脚装置のひとつの脚が取り外せて、異なる長さの脚と交換可能になっているものがある。これらは、「ドロップ・レッグ」装置として知られている。ユーザが標準の脚のひとつを交換したいと望む可能性のある状況としては、カメラを隅の場所に近い位置に配置する必要があったときが挙げられよう。他のバズーカ・ベースとしては、場所と場所との間の移動を簡易化するために取り外し可能とした脚を有しているものもある。
【０００６】
図２は、図１に示される従来のバズーカ・ベース２０の平面図を示す。ベースは中央のハブ２７を備え、ここから３本の固定脚２５が放射状に出ている。中央ハブ２７から突き出た各脚の末端の位置には、ベースを水平にさせる機能をもつ調整可能な足２６がある。ハブの中心から突き出ているのは、業界で「ヨーロピアン・ボス」または「ユーロ・ボス」として知られている雄部の突起２８である（図３も参照）。ユーロ・ボスは図１に示されるように、上昇管（特に「ユーロ・ライザー」）１１、１２をベースにしっかりと連結させうる標準部品である。上昇管（ライザー管）１１、１２は、ロック可能なスリーブ・クランプ１４によってユーロ・ボス２８に係止されている。スリーブ・クランプはまた、個々の上昇管（ライザー管）を相互接続してバズーカを所望の高さにするためにも用いられる。図３は、図２の従来のバズーカ・ベースの立面図であって、ユーロ・ボスの配置を明瞭に示している（調整可能な足は簡便のために示されていない）。
【０００７】
従来のバズーカ・ベースに関する更なる問題は、図１に関して以下に述べる。この図からわかるように、バズーカの最上部に鎮座するミッチェル・プレート１５の半径範囲は、バズーカのベースにあるスリーブ・クランプ／ユーロ・ボス部材のそれよりもかなり大きい。ミッチェル・プレートの上に通常の状態で搭載されるカメラのもつ相当な重量を考慮すれば、使用中のユーザはカメラの位置決めを行う際、安定性への配慮を鑑みる必要があるであろうことは明白である。安定性に配慮することは結局、現在バズーカ・ベースに使用している脚部材として何を選択すべきかを決定することになる。すなわち、バズーカ・ベースは必然的に広い場所をとらなければならなくなるのである。一般に、脚はベース・ハブと一体であり、それゆえ取り外し可能でないか、或いは、より簡単な搬送を容易にするために取り外し可能であるが、比較的複雑な組立て／取り外しメカニズムを必要とするか、のいずれかである。さらに、現在利用可能なバズーカ・ベースは、ユーザに、現代の映画撮影技術で要求されている多種多様なカメラ位置に適応できるような脚部材の選択幅をもたらさない。
【発明の開示】
【発明が解決しようとする課題】
【０００８】
本発明は、上記のいくつかまたはすべての問題を克服し、更に融通が利き用途が広いカメラ支持具を提供することを目的としている。
【課題を解決するための手段】
【０００９】
本発明の一実施態様によれば、複数の放射状に配置された交換可能な腕部材または足部材と着脱可能に連結するように構成された中央のハブを含むカメラ支持具であって、該腕部材は、放射状に伸びる脚を所望の長さに形成するための追加の腕部材および／または足部材と相互に連結するよう構成されるカメラ支持具が提供される。
【００１０】
これらのハブ、足部材および腕部材はあり継手ほぞ穴結合を介して連結されるのが好ましい。
【００１１】
あり継手ほぞ穴−ほぞ結合は、テーパー状になっているのが好ましい。
【００１２】
本発明の別の実施態様によれば、複数の放射状に伸びる四肢要素を着脱可能に収容するよう構成された中央のハブを備えるカメラ支持具であって、該中央のハブはミッチェルタイプ・カメラ・プレートを有するカメラ支持具が提供される。
【００１３】
該中央のハブは軸の空洞へのアクセスを可能にする、少なくとも１つ、より好ましくは複数の、放射状に分離された、円周側面上のアクセス・ウィンドウを含むことが好ましい。
【００１４】
本発明の更に別の実施態様によれば、中央ハブ及び、そこへ着脱可能にあり継手係合された複数の放射状に伸びた腕／四肢を備えるカメラ支持具が提供される。
【発明の効果】
【００１５】
本発明のカメラ支持具は、所望の長さの四肢を形成すべく連結可能で、相互に互換可能な足部材および腕部材により規格部品化でき、さらにコンパクトであるという利点がある。さらに本発明のカメラ支持具によれば、ユーロ・ミッチェル・アダプタ装置を必要とすることなく、カメラまたはミッチェル・タイプ上昇管の直接取り付けが可能になる。上昇管またはカメラのミッチェル・プレートへの確実な取り付けは、アクセス・ウィンドウの介在により容易になる。これらのウィンドウにより、ユーザはバズーカ・ベースを逆さまにする必要なく、ミッチェル・プレートの下に位置する固定ナットを締めることができるという利点がある。
【発明を実施するための最良の形態】
【００１６】
本発明の実施形態は、添付の概略図面を参照してあくまで例として以下に述べる。
【００１７】
図４は、透視図的に見た本発明のバズーカ・ベースの概略の態様を示している。バズーカ・ベース４０は、３本の腕部材５０が連結されるべき中央のハブ４５を備える。各々の腕部材５０には、足部材６０が連結している。明確化のために、足部材は腕部材からわずかに離されて描かれている。実際の使用にあたっては、足部材は脚部材に堅く装着されるか、または脚部材の介在なしに中央のハブに直接連結されてもよいが、いずれも所与の状況次第である。脚／足部材のあらゆる組合せは、特定の状況により必要とされる場合、ハブに装着されていてもよい。
【００１８】
足部材６０は、位置５５において、あり継手結合（図示せず）を介して腕部材５０に連結している。同様に、腕部材５０は位置４８において、あり継手結合（図示せず）を介して中央のハブ４５に連結している。バズーカ・ベースにおいて使用されるあり継手結合は、図９および図１０を参照し、そして図９および図１０に示された例を用いて、以下に説明する。
【００１９】
好適な実施態様において、中央のハブ、足部材および腕部材は、たとえば鋼のような他の材料に比して軽量で強度の大きいという利点を有するアルミニウムから造られる。あるいは代替的に、部材は、さまざまな合金、炭素繊維、または炭素繊維複合材料といった強度があってしかも軽量の他の材料からも製造することが可能である。強度対重量の比率を最適化するために、腕部材はI断面を持つアルミニウム・ユニットから製造されるのが好ましい。また、強度／重量比を最大化するためには、中央のハブ４５は、固体アルミニウム鋼片から選鉱されるのが好ましい。これにより、全体としての中央のハブの強度および一体性を損なうことなく、中央のハブの周囲（円周側面上）の位置４８同士の間に、アクセス・ウィンドウWを導入することが可能になる。これらのアクセス・ウィンドウは、中央のハブ４５の中心軸の空洞４６へのアクセスをもたらす。通常、そのようなウィンドウは複数設けられてよい。但し、いくつかの態様においてはひとつだけでも構わない。それどころか、アクセス・ウィンドウがまったくない態様があってもよい。
【００２０】
好適な実施態様においては、中央のハブ４５はミッチェル・プレート（図示せず−下記を参照）をハブの最上位面４７上に有する。これにより、ユーロ・ミッチェル・アダプタ装置を必要とすることなく、カメラまたはミッチェル・タイプ上昇管の直接取り付けが可能になる。上昇管またはカメラのミッチェル・プレートへの確実な取り付けは、前述したまたは後述するアクセス・ウィンドウの介在により容易になる。これらのウィンドウにより、ユーザはバズーカ・ベースを逆さまにする必要なく、ミッチェル・プレートの下に位置する固定ナットを締めることができる。
【００２１】
図５は、「ハイ・ハット（シルク・ハット／オペラ・ハット）」の形をしたバズーカ・ベース４０を示している。ここでは、３つの足部材６０を腕部材の介在なしに直接中央のハブ４５に接続することにより、狭い幅の場所でもバズーカ・ベースの脚の据付を可能にしている。これを可能にしているのは、バズーカ・ベース４０のすべての要素に使用され、さまざまな部材間の交換を可能にしている普遍的なあり継手結合である。
【００２２】
図６では、図４のバズーカ・ベースにおいて、ひとつの腕部材が取り除かれ、中央のハブ４０に足部材６１が直接連結された場合の態様が示されている。この構成は、カメラがロケーション・セットの隅ぎりぎりに配置される必要がある際に生じ得る。
【００２３】
図７は別の代替構成を示している。ここで、ひとつの四肢７０（「四肢」または「脚」は、単一の足部材、または、単一の足部材に少なくともひとつの腕部材を加えたもの、のいずれか一方として定義される）は、第１の腕部材５０と足部材６０との間に第２の腕部材５１を導入することで延長される。読者は、上記のバズーカ・ベースの腕／足の順番が数多くの可能なバリエーションのうちのほんのわずかな例にすぎないことに気づくだろう。図５、６および７ではやはり、明確化のために、アクセス・ウィンドウは示されていない。
【００２４】
バズーカ・ベースについては、図８を参照して次に説明する。ここで、バズーカ・ベース４０は、第３の四肢をおおい隠した状態で立面図で示される。
【００２５】
中央のハブ４５は、四肢Aおよび四肢Bの間に配置されたアクセス・ウィンドウ４９と共に示されている。四肢Aと図面では隠れている四肢との間、更に四肢Bと該隠された四肢との間にそれぞれ対応するウィンドウのあることに、読者は気づくべきである。かくしてユーザは、３つの別々の方向から中心軸の空洞４６に接近することが可能になるのである。
【００２６】
四肢Aは腕部材５０に相互連結している足部材６０を有し、同様に四肢Bは腕部材に相互連結している足部材を有する。各々の足部材は、当該足部材の胴体内に着脱可能に保持された支柱部材８０を有する。このような着脱可能保持機能を呈するための種々の締付手段は、業界でよく知られている。たとえば、固定穿ねじやその類似物が含まれ得る。
【００２７】
各柱（支柱）部材８０は、フットパッド８１、係止ナット８２および調整ノブ８３を備える。バズーカ・ベースの水平位置調整は、３つの個々のフットパッドを、それぞれに対応する調整ノブ８３を回転させることで調整させて成し得る。一旦所望のレベルが達成されると、バズーカ・ベースは個々の係止ナット８２を嵌めることでこの位置に固定されうる。バズーカ・ベースの好適な実施態様では、バズーカ・ベースが設置される表面の部分的不具合を許容できるように、各フットパッドは一定角度の軸方向の旋回が可能である。また、いくつかの態様においては、支柱部材８０の外径が標準寸法の足場管の外径に等しいので、支柱部材は与えられた状況の要件に応じた所望長さの足場管と交換可能である。
【００２８】
中央のハブ４５は一体となった同軸ミッチェル・プレート９０を備え、標準的ミッチェル・プレート９０と相互連結させるのに適した、カメラ、ミッチェル・タイプのカメラ・ライザー装置またはその他の適切なカメラ装備部品を直接連結することができる。
【００２９】
図８に示されるように、バズーカ・ベースのすべての要素（足、腕およびハブ）は一般的なあり継手ほぞ穴−ほぞ結合を介して相互に連結される。あり継手ほぞ−ほぞ穴結合の立面図は、図９および１０にそれぞれ示される。バズーカ・ベースの好適な実施態様においては、あり継手結合は図示のように、テーパー状になっていて、相互に連結されている要素間で得られる着脱可能な圧力ばめを与える。しかしながら、読者は、たとえば平らなほぞ穴−ほぞ結合、またはダボ−ダボ穴の組み合わせといった、採用可能な他の適切な結合手段もあることを理解するだろう。強度と安定性を補助すべく、各々の結合箇所において、係止手段や締付手段（図示せず）の形式を用いて、受け口のテーパーの細い端に対してあり継手を圧接させるようにしてもよい。このようにして、堅い結合が確保される。
【００３０】
図８は、（上方から見た場合）時計回りの方向に太い端から細い端へとテーパーがかかったあり継手を示している。ゆえに、四肢Ａのあり継手Ｄ１と四肢Ｂのあり継手Ｄ２は、図９の同じ参照番号に示されるあり継手のそれぞれの端に対応している。
【００３１】
図９は、「あり継手」またはあり継手ほぞの立面図を示し、図１０は「ソケット（受け口）」またはあり継手ほぞ穴の立面図を示す（読者はこれらの図は縮尺どおりではないことに注意すべきである）。
【００３２】
上述のとおりカメラ支持具の優位な点は、所望の長さの四肢を形成すべく連結可能で、相互に互換可能な足部材および腕部材により規格部品化でき、さらにコンパクトであるということである。ゆえに、四肢は、たとえば足部材を終端とする、複数の脚部材を有してもよい。バズーカ・タイプの支持具を設置し調整する上で最大限の融通が効くように、各々の放射状位置には異なる構成の脚／足部材が用いられてもよい。
【００３３】
更に、好ましいバズーカ・ベースの使用には、ベースに直接カメラ装置を着脱可能に固定するための一体的なミッチェル・プレートとアクセス・ウィンドウとが含まれ、これは利点を有する。以前はミッチェル・ベースの使用は考えられてこなかった。この理由のひとつは、１以上のアクセス・ウィンドウを設けるという発明の更なる一段階が実現されていなかったからである。ミッチェル・ベースは、装置を自身に緊結するためには、それがいかなる装置であろうと、下からのアクセスを必要とする。ミッチェル・ベースの使用は、この問題が認識されていたこともあってこれまで提案されなかった。アクセス・ウィンドウの使用は、下方からのアクセスを必要とすることなく、上昇管（ライザー管）を含む装置がミッチェル・プレートに連結されることを可能ならしめる。下からのアクセスは、扱いにくく重量のある装置部品を逆さまにすることを必然ならしめることから、明らかに望ましくない。
【産業上の利用可能性】
【００３４】
所望の長さの四肢を形成すべく連結可能で、相互に互換可能な足部材および腕部材により規格部品化でき、さらにコンパクトである。さらにユーロ・ミッチェル・アダプタ装置を必要とすることなく、カメラまたはミッチェル・タイプ上昇管の直接取り付けが可能になる。上昇管またはカメラのミッチェル・プレートへの確実な取り付けは、アクセス・ウィンドウの介在により容易になる。これらのウィンドウにより、ユーザはバズーカ・ベースを逆さまにする必要なく、ミッチェル・プレートの下に位置する固定ナットを締めることができる。
【図面の簡単な説明】
【００３５】
【図１】従来のカメラ・バズーカとバズーカ・ベースとの組み合わせを示す説明図である。
【図２】図１の従来のバズーカ・ベースの平面図である。
【図３】図２の従来のバズーカ・ベースの立面詳細図である。
【図４】カメラ支持具の概略ブロック図である。
【図５】実現可能な組合せにおけるカメラ支持具の概略ブロック図である。
【図６】実現可能な別の組合せにおけるカメラ支持具の概略ブロック図である。
【図７】実現可能な更に別の組合せにおけるカメラ支持具の概略ブロック図である。
【図８】カメラ支持具の立面図である。
【図９】あり継手のほぞの立面図および平面図である。
【図１０】あり継手のほぞ穴の立面図および平面図である。
【符号の説明】
【００３６】
４０    バズーカ・ベース
４５    中央のハブ
４９    アクセス・ウィンドウ
５０、５１    腕部材
６０、６１    足部材
７０    四肢
８０    支柱部材
８１    フットパッド
８２    係止ナット
８３    調整ノブ
９０    ミッチェル・プレート
【図１】
2005500488.tif 000003
【図２】
2005500488.tif 000004
【図３】
2005500488.tif 000005
【図４】
2005500488.tif 000006
【図５】
2005500488.tif 000007
【図６】
2005500488.tif 000008
【図７】
2005500488.tif 000009
【図８】
2005500488.tif 000010
【図９】
2005500488.tif 000011
【図１０】
2005500488.tif 000012
【国際公開パンフレット】
2005500488.tif 000013
2005500488.tif 000014
2005500488.tif 000015
2005500488.tif 000016
2005500488.tif 000017
2005500488.tif 000018
2005500488.tif 000019
2005500488.tif 000020
2005500488.tif 000021
2005500488.tif 000022
2005500488.tif 000023
2005500488.tif 000024
2005500488.tif 000025
2005500488.tif 000026
2005500488.tif 000027
2005500488.tif 000028
2005500488.tif 000029
【国際調査報告】
2005500488.tif 000030
2005500488.tif 000031
2005500488.tif 000032